(57)【要約】【課題】統合ボードで、走査電極及び維持電極を好適に駆動することができる、プラズマ表示装置とその駆動方法を提供する。【解決手段】第１電極（Ｙ電極）及び第２電極（Ｘ電極）と、それに交差する複数の第３電極（Ａ電極）と、第１及び第２電極と第３電極との交差地点に複数の放電セルと、を含む、プラズマ表示装置で、１フレ−ム期間の、第２電極が第１電圧によってバイアスされた、少なくとも１つのサブフィ−ルド期間は、第１電極の電圧が第２電圧から第３電圧まで漸進的に減少し放電セルを初期化するＡ段階と、点灯させる放電セルの第１電極が第４電圧を印加され、第３電極が第１電圧より高い第５電圧を印加されるＢ段階と、第１電極が、第１電圧より高い第６電圧と、第１電圧より低く第４電圧より高い第７電圧と、を交互に印加されるＣ段階と、を含むプラズマ表示装置の駆動方法が提供される。【選択図】図５
2007017979.tif 000002
【特許請求の範囲】
【請求項１】
複数の第１電極及び複数の第２電極と、前記第１電極及び前記第２電極に交差する方向に形成される複数の第３電極と、を含み、前記第１電極及び前記第２電極と前記第３電極との交差地点に複数の放電セルが形成されるプラズマ表示装置で、１フレ−ム期間を複数のサブフィ−ルド期間に分けて駆動するプラズマ表示装置の駆動方法において：
前記第２電極が第１電圧によってバイアスされた少なくとも１つの前記サブフィ−ルド期間で、
前記第１電極の電圧が、第２電圧から第３電圧まで漸進的に減少して、前記放電セルを初期化する、Ａ段階;
前記複数の放電セルのうち、点灯させる放電セルの前記第１電極が、第４電圧を印加され、前記第３電極が、前記第１電圧より高い第５電圧を印加される、Ｂ段階;
前記第１電極が、前記第１電圧より高い第６電圧と、前記第１電圧より低く前記第４電圧より高い第７電圧と、を交互に印加される、Ｃ段階；
を含むことを特徴とする、プラズマ表示装置の駆動方法。
【請求項２】
前記第４電圧は、前記第１電圧より低いことを特徴とする、請求項１に記載のプラズマ表示装置の駆動方法。
【請求項３】
前記第１電極に前記第６電圧が印加される間に、前記第３電極は、前記第５電圧を印加されることを特徴とする、請求項１または２に記載のプラズマ表示装置の駆動方法。
【請求項４】
前記第１電極に前記第６電圧が印加される間に、前記第３電極は、浮遊状態にされることを特徴とする、請求項１または２に記載のプラズマ表示装置の駆動方法。
【請求項５】
前記Ａ段階で、前記第１電極の電圧を漸進的に減少させる前に、前記第１電極の電圧を第８電圧から第９電圧まで漸進的に増加させる段階をさらに含み、
前記第１電極の電圧を前記第８電圧から前記第９電圧まで漸進的に増加させる期間のうち、少なくとも一部の期間で、前記第３電極は、前記第５電圧を印加されることを特徴とする、請求項１〜４のいずれかに記載のプラズマ表示装置の駆動方法。
【請求項６】
前記Ａ段階で、前記第１電極の電圧を漸進的に減少させる前に、前記第１電極の電圧を第８電圧から第９電圧まで漸進的に増加させる段階をさらに含み、
前記第１電極の電圧を前記第８電圧から前記第９電圧まで漸進的に増加させる期間のうち、少なくとも一部の期間で、前記第３電極は、浮遊状態にされることを特徴とする、請求項１〜４のいずれかに記載のプラズマ表示装置の駆動方法。
【請求項７】
前記複数の第１電極に、順に前記第４電圧を印加する段階と;
前記第４電圧が印加される前記第１電極によって形成される前記複数の放電セルのうち、前記点灯させる放電セルの前記第３電極に前記第５電圧を印加し、残りの前記第３電極に前記第１電圧を印加する段階と；
をさらに含むことを特徴とする、請求項１〜６のいずれかに記載のプラズマ表示装置の駆動方法。
【請求項８】
前記第１電圧は、接地電圧であることを特徴とする請求項１〜７のいずれかに記載のプラズマ表示装置の駆動方法。
【請求項９】
複数の第１電極及び複数の第２電極と、前記第１電極及び前記第２電極に交差する方向に形成される複数の第３電極と、を含むプラズマ表示パネルと；
前記プラズマ表示パネルと対向配置される、シャ−シ−ベ−スと；
前記シャーシーベースに設置され、前記第１電極及び前記第３電極に前記プラズマ表示パネルが映像を表示するための駆動波形を印加し、前記映像が表示される間に前記第２電極を第１電圧にバイアスする、駆動ボードと；
を含み、
前記駆動ボードは、少なくとも一つのサブフィ−ルド期間で、
アドレス期間に、
前記複数の第２電極を前記第１電圧でバイアスし、前記複数の第１電極に順次に第４電圧を印加し、前記複数の第３電極に前記第１電圧より高い第５電圧を選択的に印加し、
維持期間に、
前記複数の第１電極に、維持放電パルスのハイレベル電圧とローレベル電圧とを交互に印加し、
前記維持放電パルスの前記ローレベル電圧の絶対値は、前記第２電圧の絶対値より小さいことを特徴とする、プラズマ表示装置。
【請求項１０】
前記駆動ボードは、前記維持期間に前記第１電極に前記ハイレベル電圧を印加する間、前記第３電極の電圧を前記第１電圧以上にすることを特徴とする、請求項９に記載のプラズマ表示装置。
【請求項１１】
前記アドレス期間に、前記第４電圧が印加された前記第１電極と、前記第５電圧が印加された前記第３電極との交差地点に形成された放電セルは、点灯させる放電セルとして選択されることを特徴とする、請求項１０に記載のプラズマ表示装置。
【請求項１２】
前記駆動ボードは、前記リセット期間で、前記複数の第１電極の電圧を、第２電圧から第３電圧まで漸進的に減少させ、
前記第３電圧は、前記維持期間に前記複数の第１電極に印加される前記維持放電パルスの前記ロ−レベル電圧より低い電圧であることを特徴とする、請求項９〜１１のいずれかに記載のプラズマ表示装置。
【請求項１３】
前記駆動ボードは、前記リセット期間で、前記複数の第１電極の電圧を、前記第２電圧から前記第３電圧まで漸進的に減少させる前に、前記第１電極の電圧を、第８電圧から第９電圧まで漸進的に増加させ、
前記第１電極の電圧を漸進的に増加させる期間のうち、少なくとも一部の期間で、前記第３電極の電圧を前記第１電圧以上にすることを特徴とする、請求項１２に記載のプラズマ表示装置。
【発明の詳細な説明】
【技術分野】
【０００１】
本発明は、プラズマ表示装置とその駆動方法に関する。
【背景技術】
【０００２】
プラズマ表示装置は、気体放電によって生成されるプラズマを利用して、文字または映像を表示する表示装置であり、その大きさによって、マトリックス状に配列され数十から数百万個以上の画素（放電セル）を備える。
【０００３】
一般にプラズマ表示装置は、１フレ−ム期間を複数のサブフィ−ルド期間に時分割して駆動する。また、各サブフィ−ルド期間は、リセット期間、アドレス期間及び維持期間で構成される。
【０００４】
リセット期間は、放電セルにアドレシング動作を円滑に行うため各放電セルの状態を初期化させる期間である。また、アドレス期間は、パネルの中で点灯させる放電セルと点灯させない放電セルを選別して、点灯させる予定の放電セル（アドレシング動作で選択された放電セル）に壁電荷を形成する動作を行う期間である。維持期間は、実際に映像を表示するため、点灯させる放電セルで放電を起こす期間である。
【０００５】
上記動作を行うため、維持期間では、走査電極と維持電極に、交互に維持放電パルスまたは所定の基準電圧が印加され、リセット期間及びアドレス期間では、走査電極にリセット駆動波形の電圧と走査パルスの電圧が印加される。従って、走査電極を駆動するための走査駆動ボードと、維持電極を駆動するための維持駆動ボードが、個別に存在する必要がある。また、駆動ボードが別々に存在すると、シャ−シ−ベ−スに駆動ボードを数多く設ける必要があり、この二種の駆動ボードだけによっても製造原価が増加する。
【０００６】
従って、従来から二種の駆動ボードを一つに統合して走査電極の一端に形成し、維持電極の一端を長く延長して統合ボードに連結する方法が提案されている。（維持電極の一端を長く延長する代わりに、維持電極と統合ボードとを結合する電極であってもよい。）
【０００７】
【特許文献１】米国特許第５７４５０８６号明細書
【発明の開示】
【発明が解決しようとする課題】
【０００８】
しかし、従来の統合ボードによれば、上記のように二つの駆動ボードを統合することによって、長く延長された維持電極で形成されるインピ−ダンス成分が大きくなるという問題点がある。
【０００９】
そこで、本発明は、上記問題に鑑みてなされたものであり、本発明の目的とするところは、統合ボードで、走査電極及び維持電極を好適に駆動することができる、新規かつ改良されたプラズマ表示装置を提供することである。
【課題を解決するための手段】
【００１０】
上記課題を解決するために、本発明のある観点によれば、複数の第１電極及び複数の第２電極と、第１電極及び第２電極に交差する方向に形成される複数の第３電極と、を含み、第１電極及び第２電極と第３電極との交差地点に複数の放電セルが形成されるプラズマ表示装置で、１フレ−ム期間を複数のサブフィ−ルド期間に分けて駆動するプラズマ表示装置の駆動方法において、第２電極が第１電圧によってバイアスされた少なくとも１つのサブフィ−ルド期間で、第１電極の電圧が、第２電圧から第３電圧まで漸進的に減少して、放電セルを初期化する、Ａ段階、複数の放電セルのうち、点灯させる放電セルの第１電極が、第４電圧を印加され、第３電極が、第１電圧より高い第５電圧を印加される、Ｂ段階、第１電極が、第１電圧より高い第６電圧と、第１電圧より低く第４電圧より高い第７電圧と、を交互に印加される、Ｃ段階、を含むことを特徴とする、プラズマ表示装置の駆動方法が提供される。
【００１１】
また、第４電圧は、第１電圧より低いとしてもよい。
【００１２】
また、第１電極に第６電圧が印加される間に、第３電極は、第５電圧を印加されてもよい。
【００１３】
また、第１電極に第６電圧が印加される間に、第３電極は、浮遊状態にされてもよい。
【００１４】
また、Ａ段階で、第１電極の電圧を漸進的に減少させる前に、第１電極の電圧を第８電圧から第９電圧まで漸進的に増加させる段階をさらに含み、第１電極の電圧を第８電圧から第９電圧まで漸進的に増加させる期間のうち、少なくとも一部の期間で、第３電極は、第５電圧を印加されてもよい。
【００１５】
また、Ａ段階で、第１電極の電圧を漸進的に減少させる前に、第１電極の電圧を第８電圧から第９電圧まで漸進的に増加させる段階をさらに含み、第１電極の電圧を第８電圧から第９電圧まで漸進的に増加させる期間のうち、少なくとも一部の期間で、第３電極は、浮遊状態にされてもよい。
【００１６】
また、複数の第１電極に、順に第４電圧を印加する段階と、第４電圧が印加される第１電極によって形成される複数の放電セルのうち、点灯させる放電セルの第３電極に第５電圧を印加し、残りの第３電極に第１電圧を印加する段階と、をさらに含むとしてもよい。
【００１７】
また、第１電圧は、接地電圧であるとしてもよい。
【００１８】
また、上記課題を解決するために、本発明の別の観点によれば、複数の第１電極及び複数の第２電極と、第１電極及び第２電極に交差する方向に形成される複数の第３電極と、を含むプラズマ表示パネルと、プラズマ表示パネルと対向配置される、シャ−シ−ベ−スと、シャーシーベースに設置され、第１電極及び第３電極にプラズマ表示パネルが映像を表示するための駆動波形を印加し、映像が表示される間に第２電極を第１電圧にバイアスする、駆動ボードと、を含み、駆動ボードは、少なくとも一つのサブフィ−ルド期間で、アドレス期間に、複数の第２電極を第１電圧でバイアスし、複数の第１電極に順次に第４電圧を印加し、複数の第３電極に第１電圧より高い第５電圧を選択的に印加し、維持期間に、複数の第１電極に、維持放電パルスのハイレベル電圧とローレベル電圧とを交互に印加し、維持放電パルスのローレベル電圧の絶対値は、第２電圧の絶対値より小さいことを特徴とする、プラズマ表示装置が提供される。
【００１９】
また、駆動ボードは、維持期間に第１電極にハイレベル電圧を印加する間、第３電極の電圧を第１電圧以上にしてもよい。
【００２０】
また、アドレス期間に、第４電圧が印加された第１電極と、第５電圧が印加された第３電極との交差地点に形成された放電セルは、点灯させる放電セルとして選択されてもよい。
【００２１】
また、駆動ボードは、リセット期間で、複数の第１電極の電圧を、第２電圧から第３電圧まで漸進的に減少させ、第３電圧は、維持期間に複数の第１電極に印加される維持放電パルスのロ−レベル電圧より低い電圧であってもよい。
【００２２】
また、駆動ボードは、リセット期間で、複数の第１電極の電圧を、第２電圧から第３電圧まで漸進的に減少させる前に、第１電極の電圧を、第８電圧から第９電圧まで漸進的に増加させ、第１電極の電圧を漸進的に増加させる期間のうち、少なくとも一部の期間で、第３電極の電圧を第１電圧以上にしてもよい。
【発明の効果】
【００２３】
本発明により、統合ボードで、走査電極及び維持電極を好適に駆動することができる。
【発明を実施するための最良の形態】
【００２４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２５】
以下において、本発明の一実施形態によるプラズマ表示パネルの駆動方法及びプラズマ表示装置について、図面を参照して詳細に説明する。
【００２６】
まず、図１〜図３を参照して、本発明の一実施形態によるプラズマ表示装置の概略的な構成を、詳しく説明する。
【００２７】
図１は、本発明の本実施形態によるプラズマ表示装置を示す分解斜視図であり、図２は、本実施形態による、プラズマ表示パネル１０を示す概略的な概念図である。図３は、本実施形態による、シャ−シ−ベ−スを示す概略的な平面図である。
【００２８】
図１に示すように、本実施形態に係るプラズマ表示装置は、プラズマ表示パネル１０、シャ−シ−ベ−ス２０、前面ケ−ス３０及び後面ケ−ス４０を含む。シャ−シ−ベ−ス２０は、プラズマ表示パネル１０で映像が表示される面の反対側に配置されて、プラズマ表示パネル１０と結合される。前面及び後面ケ−ス３０、４０は、プラズマ表示パネル１０の前面及びシャ−シ−ベ−ス２０の後面に各々配置されて、プラズマ表示パネル１０及びシャ−シ−ベ−ス２０と結合されて、プラズマ表示装置を形成する。
【００２９】
図２に示すように、プラズマ表示パネル１０は、縦方向に長く形成されている複数のアドレス電極（Ａ１〜Ａｍ、第３電極）と、横方向に長く形成されている複数の走査電極（Ｙ１〜Ｙｎ、第１電極）及び複数の維持電極（Ｘ１〜Ｘｎ、第２電極）と、を含む。上記維持電極（Ｘ１〜Ｘｎ）は、各上記走査電極（Ｙ１〜Ｙｎ）に対応して形成され、一般にその一端が互いに共通に連結されている。
【００３０】
上記プラズマ表示パネル１０は、維持電極及び走査電極（Ｘ１〜Ｘｎ、Ｙ１〜Ｙｎ）が配列された絶縁基板（図示せず）と、アドレス電極（Ａ１〜Ａｍ）が配列された絶縁基板（図示せず）を含む。二つの絶縁基板は、走査電極（Ｙ１〜Ｙｎ）及びアドレス電極（Ａ１〜Ａｍ）と、維持電極（Ｘ１〜Ｘｎ）及びアドレス電極（Ａ１〜Ａｍ）とが、各々直交するように、放電空間を間に置いて、対向配置される。また、アドレス電極（Ａ１〜Ａｍ）と、維持及び走査電極（Ｘ１〜Ｘｎ、Ｙ１〜Ｙｎ）との交差部にある放電空間が、放電セル１２（以下、単にセルという）を形成する。
【００３１】
図３に示すように、シャ−シ−ベ−ス２０には、プラズマ表示パネル１０の駆動に必要なボード１００〜５００が形成される。また、シャ−シ−ベ−スは、アドレスバッファ−ボード１００と、走査駆動ボード２００（駆動ボードの一例）と、走査バッファ−ボード３００と、映像処理及び制御ボード４００と、電源ボード５００と、を備える。
【００３２】
なお、本実施形態において、アドレスバッファ−ボード１００は、複数のボードで構成され、シャ−シ−ベ−ス２０の上部及び下部に各々に形成されている。しかし、本発明はこれに限定されるものではなく、例えば、上記アドレスバッファ−ボード１００は、シャ−シ−ベ−ス２０の上部及び下部に各々形成され、単一ボードで構成されてもよい。
【００３３】
また、図３に示すように、本実施形態に係るプラズマ表示装置は、デュアル駆動を行うプラズマ表示装置を例として説明している。しかし、本発明はこれに限定されるものではなく、シングル駆動の場合に、アドレスバッファ−ボード１００は、シャ−シ−ベ−ス２０の上部または下部のうち、いずれか一箇所に配置されてもよい。
【００３４】
アドレスバッファ−ボード１００は、映像処理及び制御ボード４００と電気的に結合している。また、アドレスバッファ−ボード１００は、映像処理及び制御ボード４００からアドレス駆動制御信号を受信して、表示しようとする放電セルを選択するための電圧（アドレスパルス）を、各アドレス電極（Ａ１〜Ａｍ）に印加する。
【００３５】
走査駆動ボード２００は、シャ−シ−ベ−ス２０の左側に配置される。上記走査駆動ボード２００は、走査バッファ−ボード３００を経て走査電極（Ｙ１〜Ｙｎ）に、電気的に連結されている。上記走査駆動ボード２００は、映像処理及び制御ボード４００と電気的に結合しており、映像処理及び制御ボード４００から駆動信号を受信して、走査電極（Ｙ１〜Ｙｎ）に駆動電圧を印加する。また、維持電極（Ｘ１〜Ｘｎ）は、一定の電圧でバイアスされる。
【００３６】
走査バッファ−ボード３００は、アドレス期間で走査電極（Ｙ１〜Ｙｎ）を順に選択するための電圧を、走査電極（Ｙ１〜Ｙｎ）に印加する。そして、図３では、走査駆動ボード２００及び走査バッファ−ボード３００がシャ−シ−ベ−ス２０の左側に配置されている。しかし、走査駆動ボード２００及び走査バッファ−ボード３００は、シャ−シ−ベ−ス２０の右側に配置されてもよい。また、走査バッファ−ボード３００は、走査駆動ボード２００と一体形に形成されてもよい。
【００３７】
映像処理及び制御ボード４００は、外部から映像信号を受信して、アドレス電極（Ａ１〜Ａｍ）の駆動に必要な制御信号と、走査及び維持電極（Ｙ１〜Ｙｎ、Ｘ１〜Ｘｎ）の駆動に必要な制御信号を生成して、各々アドレス駆動ボード１００と走査駆動ボード２００に送信する。電源ボード５００は、プラズマ表示装置の駆動に必要な電源を供給する。映像処理及び制御ボード４００と電源ボード５００とは、シャ−シ−ベ−ス２０の中央に配置されるが、本発明によるプラズマ表示装置はこれに限定されるものではない。
【００３８】
以下において、図４を参照して、本発明の第１実施形態に係るプラズマ表示装置の駆動波形について、詳細に説明する。なお、本実施形態に係るプラズマ表示装置の構成は、上記一実施形態の構成と同一である。
【００３９】
図４は、本実施形態に係るプラズマ表示パネルの駆動波形図である。以下、便宜上一つのセルを形成する走査電極（第１電極の一例、以下、"Ｙ電極"とする。）、維持電極（第２電極の一例、以下、"Ｘ電極"とする。）及びアドレス電極（第３電極の一例、以下、"Ａ電極"とする。）に印加される駆動波形について説明する。
【００４０】
図４中の駆動波形でＹ電極に印加される電圧は、走査駆動ボード２００と走査バッファ−ボード３００から供給される。また、Ａ電極に印加される電圧は、アドレスバッファ−ボード１００から供給される。また、Ｘ電極は基準電圧（第１電圧の一例、図４では接地電圧：零ボルトとする）でバイアスするので、Ｘ電極に印加される電圧については説明を省略する。
【００４１】
図４に示すように、一つのサブフィ−ルド期間は、リセット期間と、アドレス期間（Ｂ段階）と、維持期間（Ｃ段階）とで構成され、リセット期間（Ａ段階）は上昇期間（第１電極の電圧を第８電圧から第９電圧まで漸進的に増加させる段階）及び下降期間（第１電極の電圧が、第２電圧から第３電圧まで漸進的に減少する段階）で構成される。
【００４２】
リセット期間のうちの上昇期間では、Ａ電極を基準電圧（図４では零ボルト）に維持した状態で、Ｙ電極の電圧をＶｓ電圧（第８電圧の一例）からＶｓｅｔ電圧（第９電圧の一例）まで漸進的に増加させる。図４中では、Ｙ電極の電圧がランプ（坂道）状に増加する様子を示した。Ｙ電極の電圧が増加する間に、Ｙ電極及びＸ電極の間と、Ｙ電極及びＡ電極の間とで、微弱な放電（以下、"弱放電"）が起こりながら、Ｙ電極には負（−）の壁電荷が形成されて、Ｘ及びＡ電極には正（＋）の壁電荷が形成される。
【００４３】
そして、図４に示すように、電極の電圧が漸進的に変わる場合には、セルに微弱な放電が起こりながら、外部から印加された電圧とセルの壁電圧の合計が、放電開始電圧状態を維持するように壁電荷が形成される。当該原理については、特許文献１に開示されている。
【００４４】
また、リセット期間で全セルの状態は初期化されるべきであるため、Ｖｓｅｔ電圧は、全ての条件のセルで放電が起こる程度の高い電圧である。また、Ｖｓ電圧は、一般に維持期間にＹ電極に印加される電圧より高い電圧であり、Ｙ電極とＸ電極の間の放電開始電圧より低い電圧である。
【００４５】
次に、リセット期間中、下降期間では、Ａ電極を上記基準電圧に維持した状態で、Ｙ電極の電圧は、Ｖｓ電圧（第２電圧の一例）から負(−)のＶｎｆ電圧（第３電圧の一例）まで漸進的に減少される。Ｙ電極の電圧が減少する間に、Ｙ電極及びＸ電極の間と、Ｙ電極及びＡ電極の間とで、微弱な放電が起こりながら、Ｙ電極に形成された負（−）の壁電荷と、Ｘ電極及びＡ電極に形成された正（＋）の壁電荷とが消去される。
【００４６】
一般にＶｎｆ電圧の大きさは、Ｙ電極とＸ電極の間の放電開始電圧近くに設定される。上記設定により、Ｙ電極とＸ電極間の壁電圧が、約零ボルトになって、アドレス期間でアドレス放電を起こさなかった放電セルが、維持期間に誤放電することを、防止することができる。また、Ａ電極は基準電圧に維持されているため、Ｖｎｆ電圧のレベルによってＹ電極とＡ電極の間の壁電圧が決定される。
【００４７】
また、リセット期間中の下降期間でＹ電極の下降開始電圧（第２電圧）は、Ｖｓより低く設定されてもよい。
【００４８】
一般に、時間変化による、電極の電圧の漸進的な変化（図４及び図５における電圧の時間変化量。すなわち、傾き（ｄＶ/ｄｔ）のこと。）が、なだらかになるほど、セルではさらに弱い放電が起こる。従って、Ｙ電極の下降開始電圧を低い電圧に設定すると、続く下降期間で、Ｙ電極に印加する電圧の下降する傾き（時間変化量）をさらになだらかに設定することができる。よって、上昇期間で強放電が発生しても、Ｙ電極の電圧が遅い速度（なだらかな時間変化量）で変わるため、強放電を防止することができる。この時、Ｙ電極の下降開始電圧を基準電圧（零ボルト）に設定する場合には、追加の電源を使わなくてもよい。
【００４９】
例えば、Ｙ電極の下降開始電圧が零ボルトである場合、Ｙ電極の下降時点で、外部からＸ電極及びＹ電極に印加される電圧の差と、Ａ電極及びＹ電極に印加される電圧の差とは、全て零ボルトであるため、放電は起こらない。次に、Ｙ電極の電圧が零ボルトから漸進的に下降する時、セルに形成された壁電圧と外部より印加される電圧の差が、放電開始電圧を越える場合には、弱放電が起こって壁電荷が設定されることもありうる。
【００５０】
アドレス期間では、維持期間に点灯させる放電セルを選別するため、Ｙ電極及びＡ電極に、各々、負のＶｓｃＬ電圧を有する走査パルス（第４電圧の一例）及び正のＶａ電圧を有するアドレスパルス（第５電圧の一例）を、印加する。そして、選択されないＹ電極は、ＶｓｃＬ電圧より高いＶｓｃＨ電圧でバイアスされ、点灯させない放電セルのＡ電極には基準電圧を印加される。
【００５１】
上記動作を行うために、走査バッファ−ボード３００は、Ｙ電極（図２のＹ１〜Ｙｎ）のうち、順次に、Ｙ電極を選択し、選択されたＹ電極にＶｓｃＬの走査パルスを印加する。例えば、シングル駆動では、縦方向に配列された順に、Ｙ電極を選択する。そして、アドレスバッファ−ボード１００は、選択された１つのＹ電極に走査パルスが印加される間に、当該Ｙ電極によって形成された放電セルを通過するＡ電極（Ａ１〜Ａｍ）のうち、点灯させる放電セルを形成するＡ電極を選択し、選択されたＡ電極にＶａ電圧のアドレスパルスを印加する。
【００５２】
例えば、まず、走査バッファーボード３００及びアドレスバッファーボード１００は、第１行目のＹ電極（図２のＹ１）に、ＶｓｃＬ電圧の走査パルスを印加すると同時に、第１行目のうち点灯させる放電セルに位置するＡ電極に、Ｖａ電圧のアドレスパルスを印加する。上記パルスの印加により、第１行目のＹ電極及びＶａ電圧が印加されたＡ電極の間でアドレス放電が起こる。アドレス放電により、Ｙ電極には正（＋）の壁電荷が形成され、Ａ及びＸ電極には各々負（−）の壁電荷が形成される。その結果、Ｙ電極の電位がＸ電極の電位に対して高くなるように壁電圧（Ｖｗｘｙ）が、Ｙ電極及びＸ電極の間に形成される。
【００５３】
次に、走査バッファーボード３００及びアドレスバッファーボード１００は、第２行目のＹ電極（図２のＹ２）に、ＶｓｃＬ電圧の走査パルスを印加しながら、第２行目のうち表示しようとするセル（点灯させる放電セル）に位置するＡ電極に、Ｖａ電圧のアドレスパルスを印加する。上記両パルスの印加により、Ｖａ電圧が印加されたＡ電極及び第２行のＹ電極によって形成されるセルで、アドレス放電が起こり、同様に、壁電荷がＹ電極及びＸ電極の間に形成される。
【００５４】
残りの行のＹ電極に対しても、順次に、ＶｓｃＬ電圧の走査パルスを印加しながら、点灯させるセルに位置するＡ電極にも、Ｖａ電圧のアドレスパルスを印加することで、壁電荷が形成される。
【００５５】
以下で、アドレス期間で安定的なアドレス放電を起こすための、走査パルスのＶｓｃＬ電圧の条件について、説明する。
【００５６】
上記のように、リセット期間の終了時点で、Ａ電極及びＹ電極の間の壁電圧と、Ａ電極及びＹ電極の間の外部電圧（Ｖｎｆ）との合計は、Ａ電極及びＹ電極の間の放電開始電圧（Ｖｆａｙ）と同一である。この時、走査パルスのＶｓｃＬ電圧がＶｎｆ電圧と同じ場合は、アドレス期間で走査パルスが印加されるＹ電極の全てのセルで放電が起こりうる。
【００５７】
つまり、Ａ電極に零ボルトが印加されて、Ｙ電極にＶｓｃＬ電圧が印加される場合、Ａ電極及びＹ電極の間には、放電開始電圧（Ｖｆａｙ）が形成されるため、放電が起こることもある。しかし、一般にはＡ電極及びＹ電極の間の放電遅延時間は、走査パルスとアドレスパルスが印加される時間幅より長いため、放電が起こらない。
【００５８】
しかし、Ａ電極にＶａ電圧が印加され、Ｙ電極にＶｓｃＬ電圧が印加される場合、Ａ電極及びＹ電極の間には放電開始電圧（Ｖｆａｙ）より高い電圧が形成される。よって、放電遅延時間は、走査パルスが印加される時間幅より短くなって、放電が起こりうる。
【００５９】
Ａ電極にＶａ電圧が印加され、Ｙ電極にＶｓｃＬ電圧が印加されることで、選択されたセルに、確実に、アドレス放電を起こすために、Ａ電極に印加するＶａ電圧を高めたり、Ｙ電極に印加するＶｓｃＬ電圧を下げることができる。
【００６０】
一般に、Ａ電極に、Ｖａ電圧と零ボルト電圧を供給するため、一つのＡ電極ごとに、一つのスイッチング回路（図示せず）が連結される。当該スイッチング回路は、Ｖａ電圧供給用電源をＡ電極に連結する第１スイッチと、零ボルト電圧供給用電源をＡ電極に連結する第２スイッチと、を含む。そして、スイッチング回路は、Ａ電極とアドレスバッファ−ボード１００を連結する可溶性連結部材（図示せず）の近傍に形成される。
【００６１】
また、アドレス期間での上記スイッチング回路のスイッチング回数は、Ｙ電極の個数によって決められる。例えば、４８０個のＹ電極を有して、シングル駆動を行うプラズマ表示装置において、スイッチング回路は、アドレス期間で最大４８０回のスイッチングを行う。つまり、奇数番目のＹ電極に走査パルスが印加される時、Ａ電極にＶａ電圧が印加されて、偶数番目のＹ電極に走査パルスが印加される時、Ａ電極に零ボルト電圧が印加される。よって、スイッチング回路の第１及び第２スイッチは、導通と遮断を継続して繰り返す。
【００６２】
また、上記可溶性連結部材を熱可塑性材料、例えば、ポリスチレンや錫合金で作成すると、Ｖａ電圧が高い場合には、第１及び第２スイッチの発熱が高まって、可溶性連結部材が損傷しうる。従って、本発明の第１実施形態では、Ｖａ電圧を一定の電圧以上に高めずに、式１のようにＶｓｃＬ電圧をＶｎｆ電圧より低く設定する。また、錫合金をスイッチ配線に、直列挿入しておけば、温度ヒュ−ズとして作用する。すなわち、当該温度ヒューズは、過剰発熱したＹ電極配線を、動作停止にして、異常を検出できる。
【００６３】
ＶｓｃＬ＜Ｖｎｆ  …式１
【００６４】
次に、アドレス期間で、アドレス放電が起こった放電セルには、Ｘ電極に対するＹ電極の壁電圧（Ｖｗｘｙ）が高い電圧で形成される。したがって、維持期間ではＹ電極にまず、Ｖｓ電圧（第６電圧の一例であり、維持放電パルスのハイレベル電圧の一例）を有するパルスを印加して、Ｙ電極及びＸ電極の間で、維持放電を起こす。この時、Ｖｓ電圧はＹ電極及びＸ電極の間の放電開始電圧（Ｖｆｘｙ）より低く、（Ｖｓ＋Ｖｗｘｙ）電圧は、Ｖｆｘｙ電圧より高く設定される。ここで、（Ｖｓ＋Ｖｗｘｙ）電圧は、Ｖｓ電圧とＶｗｘｙ電圧の和である。維持放電の結果、Ｙ電極に負（−）の壁電荷が形成され、Ｘ電極とＡ電極に正（＋）の壁電荷が形成され、Ｙ電極に対するＸ電極の壁電圧（Ｖｗｙｘ）が高い電圧で形成される。
【００６５】
次に、Ｙ電極に対するＸ電極の壁電圧（Ｖｗｙｘ）が高い電圧で形成されたため、Ｙ電
極に−Ｖｓ電圧（第７電圧の一例であり、維持放電パルスのローレベル電圧の一例）を有するパルスを印加して、Ｙ電極とＸ電極の間で維持放電を起こす。その結果、Ｙ電極に正（＋）の壁電荷が形成され、Ｘ電極とＡ電極に負（−）の壁電荷が形成され、Ｙ電極にＶｓ電圧が印加される時に維持放電が起こる状態になる。以降、Ｙ電極にＶｓ電圧の維持放電パルスを印加する過程と、Ｙ電極に−Ｖｓ電圧の維持放電パルスを印加する過程を、当該サブフィ−ルドが表示する加重値に対応する回数だけ繰り返す。
【００６６】
また、上記のように、リセット期間でＶｎｆ電圧が印加されたとき、Ａ電極及びＹ電極の間の壁電圧とＡ電極及びＹ電極の間の外部電圧（Ｖｎｆ）との合計は、Ａ電極及びＹ電極の間の放電開始電圧（Ｖｆａｙ）によって決定される。また、上記維持期間では、Ｙ電極にＶｓ電圧及び−Ｖｓ電圧が交互に印加される。このとき、アドレス期間でアドレス放電が起こらないセルでは、維持期間でＹ電極に−Ｖｓ電圧を印加しても、維持放電が起こらないべきである。すなわち、−Ｖｓ電圧がＶｎｆ電圧より低いと、−Ｖｓ電圧によって点灯させないセルは、維持期間で放電を起こしうる。従って、本実施形態で−Ｖｓ電圧は、式２を満たすように設定される。
【００６７】
−Ｖｓ＞Ｖｎｆ  …式２
【００６８】
従って、式１と式２から、以下の式を導くことができる。
【００６９】
ＶｓｃＬ＜Ｖｎｆ＜−Ｖｓ  …式３
ＶｓｃＬ＜−Ｖｓ  …式４
【００７０】
以上が、本実施形態に係る駆動波形である。また、本実施形態では、Ｘ電極を基準電圧でバイアスした状態で、Ｙ電極に印加される駆動波形だけでリセット動作、アドレス動作及び維持放電動作を行うことができる。従って、Ｘ電極を駆動する駆動ボードを除去することができ、単にＸ電極を基準電圧でバイアスすればよい。
【００７１】
また、本実施形態によると、維持期間に、Ｘ電極及びＡ電極を基準電圧でバイアスした状態で、Ｙ電極は、Ｖｓ電圧及び−Ｖｓ電圧を交互に印加された。この場合、全てのセルの条件が同じときは、アドレス期間で選択されないセルには壁電荷がほとんど形成されない。よって、維持期間にＹ電極に電圧（Ｖｓ、−Ｖｓ）が印加されても、選択されないセルのＹ電極とＡ電極の間に放電は、起こらない。しかし、セル間の不均一な壁電荷状態にあるときには、維持期間にＹ電極に電圧（Ｖｓ、−Ｖｓ）が印加されると、アドレス期間で選択されないセルのＹ電極及びＡ電極の間で、誤放電が起こりうる。
【００７２】
従って、本発明の第２実施形態で維持期間において、選択されていないセルで、Ｙ電極とＡ電極の間に誤放電が起こることを防止するための方法を提案する。
【００７３】
以下において、図５を参照して、本発明の第２実施形態に係るプラズマ表示装置の駆動波形について、詳細に説明する。なお、本実施形態に係るプラズマ表示装置の構成は、上記一実施形態の構成と同一である。
【００７４】
図５は、本実施形態に係るプラズマ表示装置の駆動波形図である。本実施形態によるリセット期間及びアドレス期間の駆動波形図において、本発明の第１実施形態と同一である駆動波形の説明は、省略する。
【００７５】
図５に図示すように、本実施形態に係る駆動波形によると、Ａ電極及びＹ電極の間の誤放電を防止するため、維持期間でＡ電極を浮遊状態にするか、又は、Ｙ電極に電圧（Ｖｓ）を印加する間にＡ電極にアドレス電圧（Ｖａ、第５電圧の一例）を印加する。その結果、Ａ電極及びＹ電極の間の電位差が減少する。よって、アドレス期間に選択されないセルのＡ電極及びＹ電極の間で誤放電が起こることを防止し、放電マ−ジンを確保することができる。
【００７６】
また、図５に示すように、リセット期間の上昇期間で、Ａ電極を浮遊状態にするか、Ａ電極を正の電圧でバイアスすることができる。この時、Ａ電極のバイアス電圧として、アドレス期間でＡ電極に印加されるＶａ電圧を用いると、Ａ電極のバイアス電圧を供給するための電源追加形成を要しない。
【００７７】
一般に、Ｙ電極及びＡ電極の間の放電開始電圧（Ｖｆａｙ）は、Ｙ電極とＸ電極の間の放電開始電圧（Ｖｆｘｙ）より低い。よって、リセット期間の上昇期間で、Ｙ電極の電圧が増加する間に、まず、Ａ電極及びＹ電極間の電圧は、放電開始電圧（Ｖｆａｙ）を越える。また、一定時間が経過した後に、Ｘ電極及びＹ電極間の電圧は、放電開始電圧（Ｖｆｘｙ）を越える。そして、リセット期間の上昇期間では、Ｙ電極に高い電圧が印加される。よって、Ｙ電極が正極として作用し、Ａ電極とＸ電極が負極として作用する。
【００７８】
セルでの放電は、正のイオンが負極に衝突する時、負極から放出される２次電子の量によって決定され、これをγプロセスという。一般にプラズマ表示パネルでＡ電極は、色相表現のために蛍光体に覆われている。しかし、Ｘ電極及びＹ電極は、維持放電の効率のために、例えば、ＭｇＯ成分の保護膜と共に２次電子放出係数が高い物質で覆われている。
【００７９】
ところが、上昇期間で、Ａ電極及びＹ電極の間の電圧が、放電開始電圧（Ｖｆａｙ）を越えても、負極として作用するＡ電極が蛍光体に覆われているため、Ａ電極及びＹ電極の間で放電が遅延される。放電遅延時間によって、Ａ電極及びＹ電極の間で実際放電が起こる時点で、Ａ電極及びＹ電極の間の電圧は、放電開始電圧（Ｖｆａｙ）より高い。従って、このような高い電圧によって、Ａ電極及びＹ電極の間で弱放電でない強放電が発生することがありうる。上記強放電によって、Ｘ電極及びＹ電極の間でも強放電が起こって、正常な上昇期間で生成される壁電荷より、多量の壁電荷がセルに形成されうる。また、多量のプライミング粒子が生成されうる。よって、下降期間で、多量の壁電荷とプライミング粒子によって、強放電が起こり、Ｘ電極及びＹ電極の間の壁電荷が十分に消去されず、維持期間でＸ電極及びＹ電極の間で誤放電が起こることもありうる。
【００８０】
しかし、本実施形態は、リセット期間の上昇期間において、Ａ電極の電圧を、浮遊状態にするか、Ｖａ電圧でバイアス状態にする。上記状態にすることにより、Ｙ電極の電圧が増加すると、Ａ電極及びＹ電極の間の電圧は、第１実施形態のＡ電極及びＹ電極の間の電圧に比べて小さくなる。よって、Ｘ電極及びＹ電極の間の電圧は、Ａ電極及びＹ電極の間の電圧より、先に放電開始電圧を越える。そして、まず、Ｘ電極及びＹ電極の間で弱放電が発生する。また、当該弱放電によって、プライミング粒子が形成される。そして、プライミング粒子が形成さた状態で、Ａ電極及びＹ電極の間の電圧は、放電開始電圧（Ｖｆａｙ）を越える。しかし、当該プライミング粒子によって、Ａ電極及びＹ電極の間では、放電遅延時間が短くなる。よって、Ａ電極及びＹ電極の間では、強放電が発生せずに弱放電が生じ、所望の量の壁電荷が形成されて、誤放電を防止することができる。
【００８１】
以上説明したように、本発明に係る実施形態によれば、Ｘ電極を一定の電圧でバイアスした状態で、Ｙ電極にだけ最適な駆動波形を印加することで、リセット動作、アドレス動作及び維持放電動作を行うことができる。よって、Ｘ電極を駆動するボードを除去することができる。
【００８２】
よって、Ｘ電極を駆動するボードを除去して、一つの走査駆動ボード２００のみにより、好適な駆動波形を印加することができる統合ボード（一つのボードのみにより駆動波形を印加することができるボードのこと。）を実現することができる。また、統合ボードを実現することで、製造経費を軽減することができる。また、維持放電のためのパルスが走査駆動ボード２００のみから供給されるため、インピ−ダンスを常に一定にすることができる。そして、維持期間にＹ電極に印加する低電圧（−Ｖｓ電圧、第７電圧またはローレベル電圧のこと。）を、アドレス期間にＹ電極に印加する走査電圧（ＶｓｃＬ電圧または第４電圧のこと。）より高く設定して、維持期間での誤放電を防ぐことによって放電マ−ジンを確保することができる。
【００８３】
以上、添付図面を参照しながら本発明の好適な実施形態について説明したが、本発明は係る例に限定されないことはいうまでもない。当業者であれば、特許請求の範囲に記載された範疇内において、各種の変更例または修正例に想到しうることは明らかであり、それらについても当然に本発明の技術的範囲に属するものと了解される。
【００８４】
例えば、本発明の上記実施形態では、Ｘ電極を一定の電圧でバイアスさせた状態でＹ電極に駆動波形を印加する場合について説明したが、これとは逆に、Ｙ電極を一定の電圧でバイアスさせた状態で、Ｘ電極に駆動波形を印加することもできる。
【００８５】
また、本発明の実施形態では全駆動期間にわたってＸ電極を一定の電圧でバイアスさせた場合に対して説明したが、本発明はこれに限定されない。
【産業上の利用可能性】
【００８６】
本発明は、プラズマ表示パネルの駆動方法及びプラズマ表示装置に、適用可能である。
【図面の簡単な説明】
【００８７】
【図１】本発明の一実施形態に係るプラズマ表示装置を示す分解斜視図である。
【図２】同実施形態に係るプラズマ表示パネルを示す概略的な概念図である。
【図３】同実施形態に係るシャ−シ−ベ−スを示す概略的な平面図である。
【図４】本発明の第１実施形態に係るプラズマ表示装置の駆動波形図である。
【図５】本発明の第２実施形態に係るプラズマ表示装置の駆動波形図である。
【符号の説明】
【００８８】
１０      プラズマ表示パネル
２０      シャ−シ−ベ−ス
３０      前面ケ−ス
４０      後面ケ−ス
１００    アドレスバッファ−ボード
２００    走査駆動ボード
３００    走査バッファ−ボード
４００    映像処理及び制御ボード
５００    電源ボード
【図１】
2007017979.tif 000003
【図２】
2007017979.tif 000004
【図３】
2007017979.tif 000005
【図４】
2007017979.tif 000006
【図５】
2007017979.tif 000007